(57)【要約】【課題】  記録に供されるインクフィルムに皺が発生することを防止し、高品質な記録結果を得ることができるプリンタを提供する。【解決手段】  ラインサーマルヘッド２の発熱素子３のインクフィルム２１の搬送方向上流側の近傍に、ヘッドダウン時において走行するインクフィルムに対し摺接可能であり、前記発熱素子３の配列方向と平行にライン状に形成された突起状部材からなるフィルム皺除去部材１１を形成する。【選択図】      図１
2005212130.tif 000002
【特許請求の範囲】
【請求項１】
基板の上面の先端側に部分的に突出する凸部が形成された保温層と、前記凸部の上面に形成された複数の発熱素子と、前記各発熱素子に給電するための個別電極および共通電極とを有し、前記基板の表面の前記発熱素子より基端側における少なくとも一部を封止部材により被覆して保護してなるラインサーマルヘッドを備え、前記ラインサーマルヘッド側から順に重ねたインクフィルムと記録用紙とを介して前記ラインサーマルヘッドをプラテンに当接させた状態で、前記発熱素子に対し選択的に電圧を印加して所望の記録を行なうプリンタであって、
前記ラインサーマルヘッドの発熱素子のインクフィルムの搬送方向上流側における近傍に、ヘッドダウン時において走行するインクフィルムに対し摺接可能なフィルム皺除去部材が形成されていることを特徴とするプリンタ。
【請求項２】
前記フィルム皺除去部材は、前記発熱素子の配列方向と平行にライン状に形成された突起状部材であることを特徴とする請求項１に記載のプリンタ。
【請求項３】
前記フィルム皺除去部材は、弾性体により形成されていることを特徴とする請求項１または請求項２に記載のプリンタ。
【発明の詳細な説明】
【技術分野】
【０００１】
本発明は、サーマルヘッドの複数の発熱素子を選択的に発熱させることによりインクフィルムのインクを用紙に転写させて所望の記録を行なうプリンタに係り、特に、記録用紙の記録範囲における行方向の全域に対向するように複数の前記発熱素子を直線状に配列させてなるラインサーマルヘッドを搭載したプリンタに関する。
【背景技術】
【０００２】
一般に、インクフィルムを用いて記録を行なうサーマルプリンタ等に搭載される記録ヘッドとしてのラインサーマルヘッドは、発熱抵抗体からなる複数の発熱素子を基板上に一列に形成し、記録情報にしたがって、それぞれの発熱素子に選択的に通電し発熱させることにより、インクフィルムのインクを溶融させて普通紙やＯＨＰ用紙などの記録用紙に転写し、所望の記録を行うようになっている。
【０００３】
このような従来のラインサーマルヘッドにおいては、放熱性の基板の表面に保温層が形成されており、この保温層の上面の先端部近傍には所定の高さで突出する凸部が形成されている。また、凸部を含む保温層の上面には、発熱抵抗体が積層形成されており、この発熱抵抗体の前記基板の先端側および基端側には、それぞれ前記発熱抵抗体に電圧を印加するための共通電極および個別電極が形成されている。そして、前記発熱抵抗体の共通電極と各個別電極とに挟まれた部分にはドット状をなす、複数個の発熱素子が直線状に形成されている。
【０００４】
また、前記基板の基端側には、前記共通電極および個別電極に接続されるドライバＩＣのチップ（以下、ＩＣチップという）が配設されている。そして、前記ＩＣチップは封止樹脂材からなる封止部材により被覆され、保護されている。
【０００５】
このような従来のラインサーマルヘッドは、基板がヘッド取付け台に取付けられることでプリンタ本体に配設されており、前記ヘッド取付け台を回動させることによって前記発熱素子をインクフィルムと記録用紙とを介して前記プラテンに当接させることが可能とされている（以下、発熱素子とプラテンの当接する部分の記録用紙の搬送方向における中央を「当接位置」という）。
【０００６】
そして、ラインサーマルヘッドを用いて記録する場合には、インクフィルムと記録用紙とを介してラインサーマルヘッドの発熱素子をプラテンに当接させ、インクフィルムと用紙を搬送させるとともに、記録情報に基づいて複数の発熱素子を選択的に発熱させて、インクフィルムを加熱することにより、インクフィルムのインクを記録用紙に転写して、用紙に文字や画像等を記録することになる（例えば、特許文献１参照）。
【０００７】
ところで、前述のようなラインサーマルヘッドを搭載したプリンタにおいても、他の電気製品と同様に小型化の要請がある。また、コストダウンの要請もある。そこで、ラインサーマルヘッドの基板の前記発熱素子の配列方向に直交する方向の寸法を従来のラインサーマルヘッドに比べて格段に小さくすることで、前述のプリンタの小型化を実現し、さらには、１枚のマザー基板から切り出すラインサーマルヘッドの基板の数を多くすることで、コストダウンを図ることが検討されている。
【０００８】
前述のように前記基板の前記発熱素子の配列方向に直交する方向の寸法を小さくした場合、前記基板の上面において前記発熱素子に対し前記ＩＣチップを保護する封止部材が近接することになる。よって、基板の前記発熱素子の配列方向に直交する方向の寸法を小さくしたラインサーマルヘッドを搭載するプリンタにおいては、前記ラインサーマルヘッドがプラテンに当接する際の前記ラインサーマルヘッドの当接角、すなわち、前記ラインサーマルヘッドとプラテンとの前記当接位置におけるプラテンの接線に対しラインサーマルヘッドの基板が成す角度が、従来よりも大きくなるように調整し、前記プラテンに対して発熱素子のみを適切に当接させるように構成する必要がある。
【０００９】
【特許文献１】特開平１０−１２９０２３号公報
【発明の開示】
【発明が解決しようとする課題】
【００１０】
ところが、前記ラインサーマルヘッドのプラテンに対する当接角が大きくなると、前記プラテンとラインサーマルヘッドの基板との間に形成される空間も大きくなる。そして、この大きく形成された空間においては、前記ラインサーマルヘッドの発熱素子とプラテンとが当接する記録位置に供給されるインクフィルムの搬送が不安定となり易く、記録に供されるインクフィルムが弛み、前記インクフィルムに皺が発生しやすくなり、記録結果に悪影響を及ぼすことが懸念された。特に、高温高湿となる記録環境下においては、前記皺が発生しやすい。
【００１１】
そこで、本発明は記録に供されるインクフィルムの皺の発生を防止し、高品質な記録結果を得ることができるプリンタを提供することを目的とする。
【課題を解決するための手段】
【００１２】
前述した目的を達成するため、本発明のプリンタは、前記ラインサーマルヘッドの発熱素子のインクフィルムの搬送方向上流側における近傍に、ヘッドダウン時において走行するインクフィルムに対し摺接可能なフィルム皺除去部材が形成されていることを特徴とする。
【００１３】
そして、前記フィルム皺除去部材は、前記発熱素子の配列方向と平行にライン状に形成された突起状部材であることを特徴とする。  
【００１４】
さらに、前記フィルム皺除去部材は、弾性体により形成されていることを特徴とする。
【発明の効果】
【００１５】
本発明のプリンタによれば、走行するリボンフィルムの前記サーマルヘッドに対向する裏面に前記ラインサーマルヘッドに形成されたフィルム皺除去部材を当接させ、インクフィルムにテンションを付与しつつ、インクフィルムとプラテンとの間に搬送される記録用紙に押し付けて皺を伸ばすとともに、前記インクフィルムの皺を該インクフィルムの搬送方向における上流側へ押し戻すように作用させることで、前記皺をサーマルヘッドの発熱素子がインクフィルムおよび記録用紙を介してプラテンに当接する記録位置へ到達しないようにさせることができる。しかも、本発明のプリンタは、前記インクフィルムの搬送方向上流側となる前記発熱素子の直前部に前記フィルム皺除去部材を位置させるようにしたので、前記記録位置のすぐ近くでインクフィルムの皺を伸ばすことができ、前記記録位置までの間に再びインクフィルムに弛みが発生し、皺が生じる虞も少なくなる。
【００１６】
特に、前記フィルム皺除去部材を、前記ラインサーマルヘッドの基板表面の前記発熱素子と前記封止部材との間隙に前記発熱素子の配列方向と平行にライン状に形成された突起状部材とすることで、インクフィルムに発生する皺を前記発熱素子の配列方向、すなわち、該インクフィルムの幅方向において確実に行なうことができる。
【００１７】
また、前記フィルム皺除去部材を弾性体で形成することにより、前記インクフィルムを、走行を阻害しない程度の適切な押圧力で記録用紙に押し付けることが可能となる。
【発明を実施するための最良の形態】
【００１８】
以下、本発明を図面に示す実施形態により説明する。
【００１９】
図１は本発明に係るプリンタとしてのラインプリンタ（以下、単にプリンタという）の記録状態における要部の構成を示す正面図である。
【００２０】
本実施形態のプリンタの本体内には、プラテンとしてのプラテンローラ１が回転自在に配設されている。このプラテンローラ１の上方には、記録ヘッドとしてのラインサーマルヘッド２が、その記録面に整列配置させて形成された発熱素子３をプラテンローラ１の外周面と対向させ、プラテンローラ１の長手方向となる軸方向と平行な方向に延在するようにして配設されている。
【００２１】
ここで、本実施形態のプリンタにおけるラインサーマルヘッド２は、放熱性の良い基板４が配設され、この基板の上面には保温性の良いグレーズ等からなる保温層（図示せず）が形成されている。前記保温層の上面の先端部近傍には、フォトリソ技術等により表面を部分的に突出させて凸部５が形成されている。この凸部５を含む保温層の上面には、Ｔａ−ＮやＴａ−ＳｉＯ２等からなる発熱抵抗体（図示せず）が積層形成されている。この発熱抵抗体の前記基板４の先端側および基端側には、それぞれ前記発熱抵抗体に電圧を印加するための共通電極（図示せず）および個別電極（図示せず）がＡｌ、Ｃｕ、Ａｕ等のスパッタリング及びフォトリソ技術により積層されパターン形成されている。そして、前記発熱抵抗体の共通電極と個別電極とに挟まれた部分にはドット状に整列させて、複数個の発熱素子３が形成されており、記録時において、ラインサーマルヘッド２を所定の当接角をもって傾斜させたときに、発熱素子３がインクフィルム２１（図１において一点鎖線で示す）と記録用紙２２（図１において二点鎖線で示す）を介してプラテンローラ１と当接できるようになっている。なお、前記凸部５の形状は、ラインサーマルヘッド２の当接角、当接位置等から、プラテンローラ１との当接に適した形状に適宜設計される。
【００２２】
さらに、前記基板４には前記共通電極および個別電極に接続される図示しないドライバＩＣのチップ（以下、ＩＣチップという）が配設されている。前記ＩＣチップは、例えば複数の発熱素子３に印加する通電パルスの電圧を制御して、発熱素子３の発熱量を制御するようになっている。そして、前記ＩＣチップは機械的、熱的ストレス、水分等の外的要因から保護するため、その上面を封止樹脂材からなる封止部材６により被覆され、保護されている。なお、前記ＩＣチップと封止部材６の形態としては、基板４上の共通電極及び個別電極に直接ＩＣチップを実装し、実装領域を封止部材８で封止するＣＯＢ（Ｃｈｉｐ  Ｏｎ  Ｂｏａｒｄ）でもよいし、ＩＣチップを封止部材でパッケージした上で、ラインサーマルヘッド２に実装してもよい。
【００２３】
また、発熱素子３や、共通電極と個別電極の上面には、これらの酸化や摩耗を防止するための、耐酸化性及び耐摩耗性に優れたＳｉ−Ｏ−Ｎや、ＳｉＡｌＯＮ等の硬質セラミックからなる保護層（図示せず）が所定の厚さでスパッタリング等により被覆形成されている。
【００２４】
また、ラインサーマルヘッド２の前記基板４の他端部の保温層上からは、ＩＣチップの端子部に接続されるＦＰＣ（フレキシブル基板）等からなる外部端子部（図示せず）が引き出されている。
【００２５】
そして、前記ラインサーマルヘッド２は、軽量で放熱性（熱伝導性）に優れたアルミニウム合金などの金属材料により形成されたヘッド取付台７に取付けられており、記録中に前記保温層に蓄熱される熱を基板を介して放熱するようになっている。そして、前記ヘッド取付台７は、基端部を支持軸（図示せず）で枢着された図示しないヘッドレバーの先端部に取付けられており、前記ヘッドレバーを図示しない駆動源からの駆動力をもって前記支持軸を中心として回動させることにより、ヘッド取付台７に取付けられたラインサーマルヘッド２をプラテンローラ１に当接させたヘッドダウン位置と、プラテンローラ１から離間させたヘッドアップ位置との２位置を選択的に取らせるように形成されている。
【００２６】
さらに、本実施形態においては、前記ラインサーマルヘッド２の記録に供されるインクフィルム２１の搬送方向上流側の発熱素子の近傍には、ヘッドダウン時において、走行する前記インクフィルム２１に摺接するフィルム皺除去部材が形成されている。前記フィルム皺除去部材１１は、図１に示すような、前記発熱素子の配列方向と平行にライン状に形成された、低粘度ゴム、スポンジ、ポロンなどの弾性体によりなる突起状部材とされている。
【００２７】
そして、図１に示すように、ヘッドダウン状態におけるプラテンローラ１とラインサーマルヘッド２との間には、プラテンローラ１側から順に、記録用紙２２およびインクフィルム２１が供給されるように構成されている。そして、前記プラテンローラ１に対してラインサーマルヘッド２が所定の当接力をもって当接したヘッドダウン状態におけるラインサーマルヘッド２とプラテンローラ１との当接位置は、インクフィルム２１のインクを記録に供される記録用紙２２に転写させる記録位置ＰＰとされている。
【００２８】
また、前記ヘッド取付台７の前記インクフィルム２１の搬送方向における前記記録位置ＰＰより上流側には、記録に供されるインクフィルム２１が前記発熱素子３以外の部分には接触しないような搬送経路を形成するインクフィルムガイド９が形成されている。さらに、前記ヘッド取付台７の前記インクフィルム２１の搬送方向における前記記録位置ＰＰより下流側には、記録に供されたインクフィルム２１を前記記録用紙から剥離させるための剥離部材１０が形成されている。
【００２９】
また、前記インクフィルム２１は、用紙２２の記録範囲の行方向の寸法である記録幅（記録幅）に対応する幅を有し、用紙２２とともに搬送可能とされている。そして、記録時には、前記用紙２２の搬送方向における前記記録位置ＰＰの上流側となる送出側（図１中、右側）に配設されたインクフィルムカートリッジ２３から繰り出され、前記インクフィルムガイド９に案内され、前記フィルム皺除去部材１１により、インクフィルム２１の弛みやその弛みを原因とする皺を除去した状態で前記記録位置ＰＰへ供給され、記録に供された後、下流側となる巻取側（図１中、左側）に、順次巻取られるように構成されている。
【００３０】
そして、記録時には、ラインサーマルヘッド２をヘッドダウンさせた状態で、記録情報に基づいて発熱素子３に選択的に電圧を印加させることにより、発熱素子３がジュール熱を発生して選択的に発熱する。この発熱素子３の発熱により、インクフィルム２１が部分的に加熱されて、インクフィルム２１のインク（図示せず）が転写され、プラテンローラ１上に位置する記録用紙２２に文字あるいは画像等が記録可能になっている。
【００３１】
このように構成された本実施形態においては、ラインサーマルヘッド２がヘッドダウン状態となったときに、前記フィルム皺除去部材１１を走行する前記インクフィルム２１の前記ラインサーマルヘッド２に対向する面に当接させ、前記インクフィルム２１の走行により摺接させる。そのとき、前記フィルム皺除去部材１１により、前記インクフィルム２１にテンションをかけ、前記インクフィルム２１を前記記録用紙２２に押し付けるようにして皺を伸ばすとともに、前記インクフィルム２１の皺をインクフィルムの搬送方向における上流側へ押し戻すことにより、前記皺がラインサーマルヘッド２の発熱素子がインクフィルム２１および記録用紙２２を介してプラテン１に当接する当接位置（記録位置）へ到達しないようにすることができる。
【００３２】
また、本実施形態のプリンタは、前記インクフィルム２１の搬送方向上流側となる前記発熱素子３の近傍（直前部）にラインサーマルヘッド２に形成されたフィルム皺除去部材１１を位置させることで、ラインサーマルヘッド２の発熱素子がインクフィルムおよび記録用紙を介してプラテンローラ１に当接する当接位置（記録位置ＰＰ）のすぐ近くでインクフィルム２１の皺を伸ばすことができ、前記記録位置ＰＰまでの間に再びインクフィルム２１に弛みが発生し、皺の生じる虞を少なくすることができる。
【００３３】
また、本実施形態における前記フィルム皺除去部材１１は、前記発熱素子の配列方向と平行にライン状に形成された突起状部材とされているので、インクフィルム２１に発生する皺を前記発熱素子の配列方向、すなわち、該インクフィルム２１の幅方向において確実に行なうことができる。
【００３４】
さらに、本実施形態における前記フィルム皺除去部材１１を低粘度ゴムなどの弾性体により形成することにより、前記インクフィルム２１を、走行を阻害しない程度の適切な押圧力で前記記録用紙２２に押し付けることが可能となる。
【００３５】
なお、本発明は、前記実施の形態に限定されるものではなく、必要に応じて種々の変更をすることができる。
【００３６】
本発明のラインサーマルヘッドと共に使用されるインクフィルムは、プラスチックフィルムのようなベースフィルムに熱溶融性インクや熱昇華性インクを塗布したものであり、インクリボンやインクシートを含む概念である。
【図面の簡単な説明】
【００３７】
【図１】本発明のプリンタにおける要部構成を示す概略断面図
【符号の説明】
【００３８】
１  プラテンローラ
２  ラインサーマルヘッド
３  発熱素子
４  基板
５  凸部
６  封止部材
７  ヘッド取付台
９  インクフィルムガイド
１０  剥離部材
１１  フィルム皺除去部材
２１  インクフィルム
２２  記録用紙
ＰＰ  記録位置
【図１】
2005212130.tif 000003